(57)【要約】【課題】標準大気圧と異なる環境圧下で必要な過給圧を得るためのウェイストゲートバルブデューティー比に基づく内燃機関の制御装置及び内燃機関の制御方法を提供する。【解決手段】内燃機関の充填効率の目標値となる目標充填効率と回転速度とに基づいて、スロットルバルブの上流圧力の目標値である目標スロットル上流圧力を算出し、内燃機関の空燃比と実シリンダ内新気量とに基づいて、排気ガス流量を算出し、吸入空気流量の目標値となる目標吸入空気流量と、前記目標スロットル上流圧力とに基づいて、目標圧縮機駆動力を算出し、圧縮機上流圧又は大気圧と排気ガス流量とに基づいて大気圧補正係数を算出する算出し、そして、前記目標圧縮機駆動力と前記排気ガス流量と前記大気圧補正係数とに基づいて、前記ウェイストゲートバルブデューティー比を算出する。【選択図】図８
2018178717.tif 000002
【特許請求の範囲】
【請求項１】
内燃機関の吸気路に設けられたスロットルバルブと、排気路に設けられたタービンと、前記吸気路の前記スロットルバルブの上流側に設けられた前記タービンと一体に回転する圧縮機とを有する過給機と、前記タービンを迂回するバイパス通路に設けられた圧力式のウェイストゲートバルブと、前記ウェイストゲートバルブを駆動することにより前記バイパス通路の流路断面積を変更するウェイストゲートバルブ駆動部と、ウェイストゲートバルブデューティー比で、前記ウェイストゲートバルブのダイアフラムに掛かる圧力を調整することにより、前記ウェイストゲートバルブ駆動部を制御するウェイストゲートバルブ制御装置とを備えた内燃機関の制御装置であって、
前記ウェイストゲートバルブ制御装置は、
前記内燃機関の充填効率の目標値となる目標充填効率と回転速度とに基づいて、前記スロットルバルブの上流圧力の目標値である目標スロットル上流圧力を算出する目標スロットル上流圧力演算部と、
前記内燃機関の空燃比と実シリンダ内新気量とに基づいて、排気ガス流量を算出する排気ガス流量演算部と、
吸入空気流量の目標値となる目標吸入空気流量と、前記目標スロットル上流圧力とに基づいて、目標圧縮機駆動力を算出する目標圧縮機駆動力演算部と、
圧縮機上流圧又は大気圧と前記排気ガス流量とに基づいて大気圧補正係数を算出する大気圧補正係数演算部と、
前記目標圧縮機駆動力と前記排気ガス流量と前記大気圧補正係数とに基づいて、前記ウェイストゲートバルブデューティー比を算出するウェイストゲートバルブデューティー比演算部とを備えた
内燃機関の制御装置。
【請求項２】
前記ウェイストゲートバルブ制御装置は、前記スロットルバルブの上流側の空気管圧力であるスロットル上流圧力と、前記吸入空気流量とに基づいて実圧縮機駆動力を算出する実圧縮機駆動力算出部をさらに含み、
前記ウェイストゲートバルブデューティー比演算部は、前記実圧縮機駆動力と前記目標圧縮機駆動力との差分に前記大気圧補正係数を考慮して、前記ウェイストゲートバルブデューティー比のＰＩＤフィードバック補正量を算出する
請求項１に記載の内燃機関の制御装置。
【請求項３】
前記ウェイストゲートバルブデューティー比演算部は、前記実圧縮機駆動力と前記目標圧縮機駆動力との差分に前記大気圧補正係数を考慮して算出した前記ウェイストゲートバルブデューティー比の定量的なずれ量を学習量として算出し、前記学習量を前記ＰＩＤフィードバック補正量に加えて、前記ウェイストゲートバルブデューティー比に対する学習補正量とする
請求項２に記載の内燃機関の制御装置。
【請求項４】
前記内燃機関の空燃比と目標シリンダ内新気量とに基づいて、目標排気ガス流量を算出する目標排気ガス流量演算部をさらに備え、
前記大気圧補正係数演算部は、前記排気ガス流量の代わりに目標排気ガス流量を使用する
請求項１から３のいずれか一項に記載の内燃機関の制御装置。
【請求項５】
前記ウェイストゲートバルブデューティー比演算部は、前記排気ガス流量から、圧縮機駆動力ベース及び前記排気ガス流量に対する排気ガス流量補正係数を算出し、前記圧縮機駆動力ベースに前記大気圧補正係数を乗じて大気圧補正後圧縮機駆動力ベースを算出し、前記大気圧補正後圧縮機駆動力ベースと前記排気ガス流量補正係数と前記目標圧縮機駆動力とに基づきウェイストゲートバルブデューティー比の補正係数を算出し、前記ウェイストゲートバルブデューティー比の補正係数から前記ウェイストゲートバルブデューティー比を算出する
請求項１に記載の内燃機関の制御装置。
【請求項６】
前記ウェイストゲートバルブデューティー比演算部は、前記排気ガス流量から、圧縮機駆動力ベース及び前記排気ガス流量に対する排気ガス流量補正係数を算出し、前記目標圧縮機駆動力に前記大気圧補正係数を乗じて大気圧補正後目標圧縮機駆動力を算出し、前記大気圧補正後目標圧縮機駆動力と前記排気ガス流量補正係数と前記圧縮機駆動力ベースとに基づきウェイストゲートバルブデューティー比の補正係数を算出し、前記ウェイストゲートバルブデューティー比の補正係数から前記ウェイストゲートバルブデューティー比を算出する
請求項１に記載の内燃機関の制御装置。
【請求項７】
内燃機関の吸気路に設けられたスロットルバルブと、排気路に設けられたタービンと、前記吸気路の前記スロットルバルブの上流側に設けられた前記タービンと一体に回転する圧縮機とを有する過給機と、前記タービンを迂回するバイパス通路に設けられた圧力式のウェイストゲートバルブと、前記ウェイストゲートバルブを駆動することにより前記バイパス通路の流路断面積を変更するウェイストゲートバルブ駆動部と、ウェイストゲートバルブデューティー比で、前記ウェイストゲートバルブのダイアフラムに掛かる圧力を調整することにより、前記ウェイストゲートバルブ駆動部を制御するウェイストゲートバルブ制御装置とを備えた内燃機関の制御方法であって、
前記内燃機関の充填効率の目標値となる目標充填効率と回転速度とに基づいて、前記スロットルバルブの上流圧力の目標値である目標スロットル上流圧力を算出し、
前記内燃機関の空燃比と実シリンダ内新気量とに基づいて、排気ガス流量を算出し、
吸入空気流量の目標値となる目標吸入空気流量と、前記目標スロットル上流圧力とに基づいて、目標圧縮機駆動力を算出し、
圧縮機上流圧又は大気圧に基づいて、前記排気ガス流量を補正するための大気圧補正係数を算出し、
前記目標圧縮機駆動力と前記排気ガス流量と前記大気圧補正係数とに基づいて、前記ウェイストゲートバルブデューティー比を算出する
内燃機関の制御方法。
【発明の詳細な説明】
【技術分野】
【０００１】
この発明は、内燃機関の制御装置に関し、特に排気路に設けられたタービンと吸気路に設けられた圧縮機を有する過給機を備えた内燃機関を制御する装置及び方法に関する。
【背景技術】
【０００２】
近年、運転者や車両側からの駆動力の要求値であるエンジンの出力軸トルクをエンジン出力目標値として、エンジン制御量である空気量、燃料量、及び点火時期を決定することにより良好な走行性能を得る内燃機関の制御装置が提案されている。この中で、高度０ｍを標準大気圧とする標準大気圧において、加速応答特性の操作、燃費最適ポイントでの運転、及びばらつき要素の学習等が可能な、ウェイストゲートバルブを有する過給機付きの内燃機関の制御装置が知られている（例えば特許文献１参照）。
【先行技術文献】
【特許文献】
【０００３】
【特許文献１】特許第５４５２００１３号公報
【発明の概要】
【発明が解決しようとする課題】
【０００４】
圧力式のウェイストゲートバルブの制御において、図９（Ａ）に示す標準大気圧とは異なる、例えば同図（Ｂ）に示す低環境圧の下では、ウェイストゲートバルブを駆動するためのスロットル上流圧−大気圧間の差圧を利用した圧力とウェイストゲートバルブデューティー比との関係が変わる。このため、ウェイストゲートバルブデューティー比に対する排気ガス流量と圧縮機駆動力の特性が変化する。
【０００５】
上記の特許文献１に示すウェイストゲートバルブの制御装置では、ウェイストゲートバルブデューティー比の算出要素である圧縮機駆動力への環境圧の変化に対して補正を行っていない。このため、標準大気圧と異なる環境圧下では必要な過給圧を得るためのウェイストゲートバルブデューティー比が算出できず、運転者や車両側から要求されるエンジンの出力軸トルクが実現できないという課題がある。
【０００６】
この発明は、上記の課題を解決するためにされたもので、標準大気圧と異なる環境圧下で必要な過給圧を得るためのウェイストゲートバルブデューティー比に基づく内燃機関の制御装置及び内燃機関の制御方法を提供することを目的とする。
【課題を解決するための手段】
【０００７】
上記の目的を達成する為、この発明に係る内燃機関の制御装置は、内燃機関の吸気路に設けられたスロットルバルブと、排気路に設けられたタービンと、前記吸気路の前記スロットルバルブの上流側に設けられた前記タービンと一体に回転する圧縮機とを有する過給機と、前記タービンを迂回するバイパス通路に設けられた圧力式のウェイストゲートバルブと、前記ウェイストゲートバルブを駆動することにより前記バイパス通路の流路断面積を変更するウェイストゲートバルブ駆動部と、ウェイストゲートバルブデューティー比で、前記ウェイストゲートバルブのダイアフラムに掛かる圧力を調整することにより、前記ウェイストゲートバルブ駆動部を制御するウェイストゲートバルブ制御装置とを備えた内燃機関の制御装置であって、前記ウェイストゲートバルブ制御装置は、前記内燃機関の充填効率の目標値となる目標充填効率と回転速度とに基づいて、前記スロットルバルブの上流圧力の目標値である目標スロットル上流圧力を算出する目標スロットル上流圧力演算部と、前記内燃機関の空燃比と実シリンダ内新気量とに基づいて、排気ガス流量を算出する排気ガス流量演算部と、吸入空気流量の目標値となる目標吸入空気流量と、前記目標スロットル上流圧力とに基づいて、目標圧縮機駆動力を算出する目標圧縮機駆動力演算部と、圧縮機上流圧又は大気圧に基づいて、前記排気ガス流量を補正するための大気圧補正係数を算出する大気圧補正係数演算部と、前記目標圧縮機駆動力と前記排気ガス流量と前記大気圧補正係数とに基づいて、前記ウェイストゲートバルブデューティー比を算出するウェイストゲートバルブデューティー比演算部とを備えている。
【０００８】
また、上記の目的を達成する為、本発明に係る内燃機関の制御方法は、内燃機関の吸気路に設けられたスロットルバルブと、排気路に設けられたタービンと、前記吸気路の前記スロットルバルブの上流側に設けられた前記タービンと一体に回転する圧縮機とを有する過給機と、前記タービンを迂回するバイパス通路に設けられた圧力式のウェイストゲートバルブと、前記ウェイストゲートバルブを駆動することにより前記バイパス通路の流路断面積を変更するウェイストゲートバルブ駆動部と、ウェイストゲートバルブデューティー比で、前記ウェイストゲートバルブのダイアフラムに掛かる圧力を調整することにより、前記ウェイストゲートバルブ駆動部を制御するウェイストゲートバルブ制御装置とを備えた内燃機関の制御方法であって、前記内燃機関の充填効率の目標値となる目標充填効率と回転速度とに基づいて、前記スロットルバルブの上流圧力の目標値である目標スロットル上流圧力を算出し、前記内燃機関の空燃比と実シリンダ内新気量とに基づいて、排気ガス流量を算出し、吸入空気流量の目標値となる目標吸入空気流量と、前記目標スロットル上流圧力とに基づいて、目標圧縮機駆動力を算出し、圧縮機上流圧又は大気圧と前記排気ガス流量とに基づいて大気圧補正係数を算出し、前記目標圧縮機駆動力と前記排気ガス流量と前記大気圧補正係数とに基づいて、前記ウェイストゲートバルブデューティー比を算出するものである。
【発明の効果】
【０００９】
この発明では、吸入空気流量の目標値となる目標吸入空気流量と、目標スロットル上流圧力とに基づいて、目標圧縮機駆動力を算出し、圧縮機上流圧又は大気圧と前記排気ガス流量とに基づいて大気圧補正係数を算出し、目標圧縮機駆動力と排気ガス流量と大気圧補正係数とに基づいて、ウェイストゲートバルブデューティー比を算出するように構成したので、標準大気圧より環境圧が変化しても最適な目標圧縮機駆動力を達成し、運転者や車両側からの要求のエンジンの出力軸トルクを実現することが可能となる。
【図面の簡単な説明】
【００１０】
【図１】この発明に係る内燃機関の吸排気系を示す構成図である。
【図２】この発明による内燃機関の制御装置の構成を概略的に示すブロック図である。
【図３】図２のＥＣＵの機能を具体的に示すブロック図である。
【図４】この発明による吸入空気流量制御の算出処理を示すフローチャートである。
【図５】この発明による推定トルクの算出処理を示すフローチャートである。
【図６】この発明による目標スロットル上流圧力の算出処理を示すフローチャートである。
【図７】この発明による目標圧縮機駆動力、実圧縮機駆動力、及び排気ガス流量の算出処理を示すフローチャートである。
【図８】この発明によるウェイストゲートバルブの制御処理を示すブロック図である。
【図９】排気ガス流量と目標圧縮機駆動力との特性グラフを示し、特に図９（Ａ）は標準大気圧時の特性グラフを示し、図９（Ｂ）は低環境圧における排気ガス特性グラフを示す。
【発明を実施するための形態】
【００１１】
以下、この発明による内燃機関の制御装置及び制御方法を実施の形態に従って図面を用いて説明する。なお、各実施の形態において、同一又は相当部分は同一符号で示し、重複する説明は省略する。
【００１２】
実施の形態１．
図１は、この発明に係る内燃機関の吸排気系を示す構成図である。図１において、エンジン１のクランクには、その回転角に応じた電気信号を生成するためのクランク角センサ１１が取り付けられている。また、エンジン１の燃焼室の吸入口と排出口には、それぞれ、吸気路を形成する吸気管２と、排気路を形成する排気管７が接続されている。
【００１３】
吸気管２の上流側（エンジン１の反対側）には、取り込んだ外気を浄化するためのエアクリーナ３が取り付けられている。吸気管２のエアクリーナ３の下流側（エンジン１側）には、吸入空気流量に応じた電気信号を生成するエアフローセンサ１２と、吸入路内の吸入空気温度に応じた電気信号を生成する吸入空気温センサ（吸気温センサ）１３とが互いに一体又は別体に設けられている。なお、図１では、両センサ１２，１３が一体に構成された例を示す。また、吸気管２のエアクリーナ３の下流側（エンジン１側）には、大気圧に応じた電気信号を生成する大気圧センサ９が設けられている。
【００１４】
排気管７の上流側（エンジン１側）には、排気ガス浄化触媒２２が設けられている。排気管７の排気ガス浄化触媒２２の上流側（エンジン１側）には、燃焼された燃料と空気の割合に応じた電気信号を生成する空燃比センサ１６が設けられている。
【００１５】
また、吸気管２と排気管７にて構成される吸排気系統には、圧縮機３１、及びこの圧縮機３１と一体になって回転するタービン３２を備えている過給機（ターボチャージャ）３６が設けられている。タービン３２は、排気管７の排気ガス浄化触媒２２よりも上流側に設けられていて、排気管７内を通流する排気ガスによって回転駆動されるようになっている。圧縮機（コンプレッサ）３１は、吸気管２のエアクリーナ３の下流側に設けられている。この圧縮機３１は、タービン３２の回転に伴って回転駆動されることで、吸気路内の空気を圧縮するようになっている。
【００１６】
圧縮機３１の下流側には、主にアクセルオフ時に圧縮された過給圧が逆流してタービン３２が破損をしないよう吸気管２に圧縮空気量を分流させるためのエアバイパスバルブ３３が設けられている。エアバイパスバルブ３３の下流側には、インタークーラ３０が設けられている。インタークーラ３０の下流側には、エンジン１に送られる空気量を調整するためのスロットルバルブ４が設けられている。スロットルバルブ４には、そのスロットル開度に応じた電気信号を生成するスロットルポジションセンサ１４が接続されている。また、スロットルバルブ４の上流側には、インタークーラ３０とスロットルバルブ４の間の空気圧に応じた電気信号を生成するスロットル上流圧力センサ３５が設けられている。
【００１７】
さらに、吸気管２の吸気路のスロットルバルブ４の下流側には、吸気脈動を解消するためのサージタンク５が設けられている。サージタンク５には、サージタンク５内の空気圧に応じた電気信号を生成するインレットマニホールド圧力センサ（以下インマニ圧センサ）１５が設けられている。なお、エアフローセンサ１２及びインマニ圧センサ１５については、両方とも設けてもよいし、インマニ圧センサ１５のみを設けてもよい。なお、インマニ圧センサ１５のみの場合は、図１でも示すとおり、吸入空気温センサ１３はサージタンク５にインマニ圧センサ１５と別体で設けられる。また、インレットマニホールド圧力（以下、インマニ圧）Ｐｂを直接測定するインマニ圧センサ１５に代えて、他のセンサ情報からインマニ圧Ｐｂを推定する手段を用いてもよい。
【００１８】
吸気管２において、サージタンク５の下流のエンジン１側には、燃料を噴射するインジェクタ１７が設けられている。なお、インジェクタ１７は、シリンダ８内に直接燃料を噴射するように設けられてもよい。
【００１９】
シリンダ８の頂部には、エンジン１に吸入された空気とインジェクタ１７から噴射された燃料とが混合して生成される可燃混合気に点火する点火プラグ１８と、点火プラグ１８に火花を飛ばすための電流を発生させる点火コイル１９とが設けられている。また、吸気路からシリンダ８内に導入される空気量を調節する吸気バルブ２０と、シリンダ８内から内燃機関の排気路に排出される空気量を調節する排気バルブ２１が設けられている。
【００２０】
タービン３２の上流側には、高回転高負荷で過給圧が増加してもエンジンを破損しないよう、排気バイパス通路に排気ガスを分流させるために、駆動部がダイアフラムに掛かる圧力を制御する圧力式のウェイストゲートバルブ３４が設けられている。
【００２１】
図２は、この発明による内燃機関の制御装置の構成を概略的に示すブロック図である。図２において、電子制御ユニット（以下、ＥＣＵ）１００は、クランク角センサ１１、エアフローセンサ１２、吸入空気温センサ１３、スロットルポジションセンサ１４、インマニ圧センサ１５、及び空燃比センサ１６のそれぞれによって生成された電気信号を受ける。
それぞれ、クランク角センサの回転速度Ｎｅ、実計測空気流量Ｑｒ、吸入空気温ＡＴ、スロットル開度ＴＨ、インマニ圧又は又は吸入空気圧Ｐｂ、及び空燃比ＡＦを示す。
【００２２】
また、ＥＣＵ１００は、ターボチャージャで必要となる大気圧センサ９、スロットル上流圧力センサ３５、上記のセンサ１１−１６、及びその他の各種センサＳとのそれぞれからも電気信号を受ける。この各種センサには、アクセル（図示せず）の操作量に応じた電気信号を生成するアクセルポジションセンサ又はアクセル開度センサ、エンジン１の燃焼制御用のセンサ、及び車両の挙動制御用のセンサ（例えば、車速センサ、水温センサ等）が含まれている。それぞれ、大気圧はＡＰ、スロットル上流圧力はＰ２、及びアクセル開度はＤで示す。
【００２３】
さらに、ＥＣＵ１００は、クランク角センサ１１からの回転速度Ｎｅ、エアフローセンサ１２からの実計測空気流量Ｑｒ、スロットルポジションセンサ１４からのスロットル開度ＴＨ、インマニ圧センサ１５からのインマニ圧Ｐｂ、空燃比センサ１６からの空燃比ＡＦ、大気圧センサ９からの大気圧ＡＰ、スロットル上流圧力センサ３５からのスロットル上流圧力Ｐ２、及び、車両に設けられたアクセルの開度を検出するアクセル開度センサ（各種センサＳ）からアクセル開度Ｄ、の各入力データに基づいて、エンジン１から発生した実トルクを推定した推定出力トルクＴＲＱ（図示せず）を算出する。これとともに、ＥＣＵ１００は、上記各センサからの入力データ、及び他のコントローラＣ（例えば、トランスミッション制御、ブレーキ制御、トラクション制御、スタビリティ制御等）からのトルク要求値に基づいて、
目標出力トルクＴＲＱｔ（図示せず）を算出する。
【００２４】
また、ＥＣＵ１００は、目標出力トルクＴＲＱｔを達成するように、空燃比ＡＦや各制御目標値（例えば、吸気や排気ＶＶＴ開度、ＥＧＲ率、及び点火時期等）を参照して、吸入空気流量の目標吸入空気流量Ｑａｔを達成するようにスロットルバルブ４のアクチュエータ（駆動部）４ａを駆動制御し、空燃比ＡＦの目標値を達成するようにインジェクタ１７のアクチュエータ（駆動部）１７ａを駆動制御し、点火時期の目標値を達成するように点火コイル１９の駆動回路からなるアクチュエータ部（駆動部）１９ａを通電制御し、ウェイストゲートバルブ３４のダイアフラムに掛かるスロットル上流圧と大気圧の差圧を利用した圧力を目標の過給圧に達するように調整するためにウェイストゲートバルブデューティー比でウェスイトゲートバルブアクチュエータ（図示せず）を駆動制御する。また、ＥＣＵ１００は、これらのアクチュエータ以外の各種アクチュエータＡに対する目標値も算出して制御を行う。
【００２５】
ここで、ＥＣＵ１００は、演算処理を実行するＣＰＵと、プログラムデータや固定値データを記憶するＲＯＭと、格納されているデータを更新して順次書き換えられるＲＡＭとを有するマイクロプロセッサで構成されている。ＲＯＭとＲＡＭを含めて記憶部とする。
【００２６】
図３は、図２のＥＣＵ１００の吸入空気流量制御とウェイストゲートバルブ制御と推定トルク演算と他演算等に関する機能を具体的に示すブロック図である。
【００２７】
ＥＣＵ１００内のＲＯＭには、吸入空気流量制御部１１０、ウェイストゲートバルブ制御装置１１１、及びトルク値制御部１１２が、ソフトウェアとして記憶されている。
【００２８】
吸入空気流量制御部１１０は、要求トルク演算部１２０、目標トルク演算部１２１、目標シリンダ内新気量演算部１２２、目標吸入空気流量演算部１２３、及びスロットル開度制御部１２４を含む。
ウェイストゲートバルブ制御装置１１１は、目標インマニ圧力演算部１３０、目標スロットル上流圧力演算部１３１、目標圧縮機駆動力演算部１３２、排気ガス流量演算部１３３、実圧縮機駆動力演算部１３４、及びウェイストゲートバルブデューティー比演算部１３５、大気圧補正係数演算部１４３、及び目標排気ガス流量演算部１４４を含む。
トルク値制御部１１２は、実吸入空気流量演算部１４０、実シリンダ内新気量演算部１４１、及び推定トルク演算部１４２を含む。
【００２９】
ウェイストゲートバルブ制御装置１１１において、要求トルク演算部１２０は、例えばエンジン１の回転速度Ｎｅ（又は車両の走行速度ＶＳ）とアクセル開度Ｄとに基づいて、車両の運転者による運転者要求出力トルクＴＲＱｄを算出する。
目標トルク演算部１２１は、運転者要求出力トルクＴＲＱｄに基づいて、エンジン１が発生すべき目標出力トルクＴＲＱｔ、又は目標図示平均有効圧Ｐｉｔを算出する。
目標シリンダ内新気量演算部１２２は、目標出力トルクＴＲＱｔ又は目標図示平均有効圧Ｐｉｔと、空燃比ＡＦと、熱効率ηとに基づいて、目標充填効率Ｅｃｔ又は目標シリンダ内新気量Ｑｃｔを算出する。
【００３０】
目標吸入空気流量演算部１２３は、目標シリンダ内新気量Ｑｃｔに基づいて、エンジン１が吸入すべき目標吸入空気流量Ｑａｔを算出する。
スロットル開度制御部１２４は、スロットルバルブ４のスロットル開度ＴＨを制御することにより、吸気管２の開口面積を変化させて、実吸入空気流量Ｑａｒを可変制御する。  吸入空気流量制御部１１０は、実吸入空気流量Ｑａｒが目標吸入空気流量Ｑａｔと一致するように、スロットル開度制御部１２４を介してスロットル開度ＴＨを制御する。
【００３１】
ウェイストゲートバルブ制御装置１１１において、目標インマニ圧力演算部１３０は、目標充填効率Ｅｃｔと、体積効率補正係数Ｋｖとに基づいて、目標インマニ圧Ｐｂｔを算出する。
目標スロットル上流圧力演算部１３１は、エンジン１の回転速度Ｎｅと、目標充填効率Ｅｃｔと、目標インマニ圧Ｐｂｔとに基づいて、目標スロットル上流圧力Ｐ２ｔを算出する。
目標圧縮機駆動力演算部１３２は、目標スロットル上流圧力Ｐ２ｔと、目標吸入空気流量Ｑａｔとに基づいて、目標圧縮機駆動力Ｐｃｔを算出する。
【００３２】
排気ガス流量演算部１３３は、実シリンダ内新気量Ｑｃｒと、空燃比ＡＦとに基づいて、排気ガス流量Ｑｅｘを算出する。
実圧縮機駆動力演算部１３４は、スロットル上流圧力Ｐ２と、実吸入空気流量Ｑａｒとに基づいて、実圧縮機駆動力Ｐｃｒを算出する。
ウェイストゲートバルブデューティー比演算部１３５は、実圧縮機駆動力Ｐｃｒと、排気ガス流量Ｑｅｘと、目標圧縮機駆動力Ｐｃｔとに基づいて、ウェイストゲートバルブ制御量であるウェイストゲートバルブデューティー比ＷＧを算出する。
【００３３】
ウェイストゲートバルブ制御装置１１１は、実圧縮機駆動力Ｐｃｒが目標圧縮機駆動力Ｐｃｔと一致するように、ウェイストゲートバルブデューティー比を制御することで、ウェイストゲートバルブ３４を駆動する。
【００３４】
ウェイストゲートバルブ制御装置１１１において、実吸入空気流量演算部１４０は、エアフローセンサ１２からの実計測空気流量Ｑｒ、又はインマニ圧センサ１５からのインマニ圧Ｐｂに基づいて、エンジン１が吸入する実吸入空気流量Ｑａｒを算出する。
実シリンダ内新気量演算部１４１は、エアフローセンサ１２からの実計測空気流量Ｑｒ、又はインマニ圧センサ１５からのインマニ圧Ｐｂに基づいて、シリンダ８が吸入する実シリンダ内新気量Ｑｃｒを算出する。
【００３５】
推定トルク演算部１４２は、実シリンダ内新気量Ｑｃｒと、空燃比ＡＦと、熱効率ηとに基づいて、充填効率Ｅｃｒを算出し、エンジン１から発生した実トルクを推定するための演算、即ちエンジン１の推定出力トルクＴＲＱ又は推定図示平均有効圧Ｐｉｒを算出する。
【００３６】
このように、トルク値制御部１１２は、エンジン１が吸入する実吸入空気流量Ｑａｒ及びシリンダ８が吸入する充填効率Ｅｃｒ又は実シリンダ内新気量Ｑｃｒを算出する。また、充填効率Ｅｃｒからエンジン１の熱効率ηを算出する。
【００３７】
次に、図１〜図３とともに、図４の吸入空気流量制御のフローチャートを参照しながら、この発明の実施の形態１による吸入空気流量制御部１１０の算出処理について説明する。
【００３８】
まず、クランク角センサ１１は、エンジン１の回転速度Ｎｅを検出し、アクセル開度センサ（図示せず）は、アクセル開度Ｄを検出する（ステップＳ１０１）。エンジン１の回転速度Ｎｅは、前述した検出された値を用いればよい。なお、クランク角センサ１１がエンジン１の回転速度Ｎｅを検出する代わりに、車速センサ（図示せず）が車両の走行速度ＶＳを検出してもよい。
【００３９】
続いて、要求トルク演算部１２０は、エンジン１の回転速度Ｎｅ（又は走行速度ＶＳ）とアクセル開度Ｄとの関係に基づいたマップとして設定される運転者要求出力トルクマップ（記憶部に格納）を用いて、次式（１）に示すように、車両の運転者による運転者要求出力トルクＴＲＱｄを算出する（ステップＳ１０２）。なお、ＭＡＰ１は予め演算された上記運転者要求出力トルクマップ値から設定される。
【００４０】
ＴＲＱｄ＝ＭＡＰ１［Ｎｅ、Ｄ］・・・・・式（１）
【００４１】
次に、他のコントローラ（例えば、トランスミッション制御、ブレーキ制御、トラクション制御等を実行する図示しないコントローラ）から、それぞれのトルク要求値が入力される（ステップＳ１０３）。
続いて、吸入空気流量制御部１１０の目標トルク演算部１２１は、運転状態に応じて、運転者要求出力トルクＴＲＱｄとトルク要求値のどちらかの値を選択し、最終要求出力トルクとして算出する（ステップＳ１０４）。ここで算出された最終要求出力トルクは、エンジン１のクランク軸から出力されるトルクを示している。
【００４２】
次に、吸入空気流量制御部１１０の目標トルク演算部１２１は、一般にエンジン補機と呼ばれるオルタネータ、エアコン用コンプレッサ、パワステ用ポンプ、トランスミッション用ポンプ、及びトルクコンバータ等の負荷をエンジン補機で計測した実データに基づいて、例えば回転速度Ｎｅ毎に予め記憶部に格納されたマップ値からエンジン補機負荷を算出する（ステップＳ１０５）。
続いて、目標トルク演算部１２１は、最終要求出力トルクとエンジン補機負荷とを加算して、エンジン１に付随する補機負荷を考慮したエンジン要求出力トルクＴＲＧｔを算出する（ステップＳ１０６）。
【００４３】
次に、目標トルク演算部１２１は、エンジン１自身の持つメカロスやポンピングロス（以下、総称して、「エンジンロス」と称する。）を、エンジン１で計測した実データに基づいて、例えば回転速度Ｎｅ毎に予め記憶部に格納されたマップ値からから算出する（ステップＳ１０７）。
続いて、目標トルク演算部１２１は、エンジン要求出力トルクとエンジンロスとを加算して、エンジン１のシリンダ８内で発生すべき目標図示平均有効圧Ｐｉｔを算出する（ステップＳ１０８）。なお、目標トルク演算部１２１は、目標図示平均有効圧Ｐｉｔの代わりに、上記の目標出力トルクＴＲＱｔを算出してもよい。
【００４４】
次に、トルク値制御部１１２は、エンジン１で計測した実データに基づいて、例えば回転速度Ｎｅ毎に予め記憶部に格納されたマップ値からエンジン１の熱効率ηを算出し、空燃比センサ１６は、可燃混合気の空燃比ＡＦを検出する（ステップＳ１０９）。
【００４５】
続いて、目標シリンダ内新気量演算部１２２は、目標図示平均有効圧Ｐｉｔ（又はエンジン要求出力トルクＴＲＧｔ）、熱効率η及び空燃比ＡＦに基づいて、次式（２）に示すように、目標図示平均有効圧Ｐｉｔを実現するための目標シリンダ内新気量Ｑｃｔを算出する（ステップＳ１１０）。なお、Ｖｃ［Ｌ］は一気筒当たり当たりのシリンダ行程容積を示している。
【００４６】
Ｑｃｔ＝ＡＦ×Ｐｉｔ×Ｖｃ／（η×４４０００）・・・・・式（２）
【００４７】
次に、目標吸入空気流量演算部１２３は、目標シリンダ内新気量Ｑｃｔと、体積効率補正係数Ｋｖとに基づいて、次式（３）に示すように、エンジン１が吸入すべき目標吸入空気流量Ｑａｔ［ｇ／ｓ］を算出する（ステップＳ１１１）。但し、ｆｉｌｔｅｒ１は、ＫＣＣＡをフィルタ係数とする１次進みフィルタ処理用の関数である。
【００４８】
Ｑａｔ＝ｆｉｌｔｅｒ１［Ｑｃｔ，Ｑｃｔ（ｎ−１）×Ｋｖ，ＫＣＣＡ］
・・・・・式（３）
【００４９】
続いて、スロットル開度制御部１２４は、スロットル近傍の流れを絞り弁前後の流れと考え、オリフィスの流量算出式である流体力学の理論式を適用して吸入空気流量（体積流量Ｑ）を算出する。
一般的に、体積流量Ｑは、エネルギー保存則、等エントロピ流れの関係式、音速の関係式及び状態方程式より、次式（４）に示すように算出される。
但し、κ：比熱比、Ｒ：ガス定数、Ｐ：圧力、ρ：密度、Ｔ：温度、ａ：音速、ｕ：流速、ｍ：質量流量、Ｓｔｈ：有効開口面積を示し、添字は、０：大気、ｂ：インマニ、ｅ：スロットル、を示す。
【００５０】
【数１】
2018178717.tif 000003
【００５１】
そして、スロットル開度制御部１２４は、上記の式（４）に基づいて、スロットル上流圧力Ｐ２と、スロットル下流圧力であるインマニ圧Ｐｂとの比率、すなわちスロットル上下流圧力の比率であるＰｂ／Ｐ２によって決まる特性を示した流量補正係数ＭＡＰ（記憶部に格納）と、吸気温と音速の特性を示した音速ＭＡＰ（記憶部に格納）、エンジン１で計測した有効開口面積とスロットル開度の特性データに基づいて予め演算された有効開口面積ＭＡＰ（記憶部に格納）に基づいて、次式（５）に示すように、スロットル開度ＴＨの目標値を算出し、スロットル開度ＴＨを制御する（ステップＳ１１２）。
【００５２】
ＴＨ＝有効開口面積ＭＡＰ［Ｑａｔ／（流量補正係数ＭＡＰ［Ｐｂ／Ｐ２］
×音速ＭＡＰ［ＡＴ］）］・・・・・式（５）
【００５３】
ここでは、エアフローセンサ１２、又はインマニ圧センサ１５から算出した実吸入空気流量Ｑａｒが、目標吸入空気流量Ｑａｔと一致するように、スロットル開度フィードバックを用いて有効開口面積ＭＡＰの補正する学習値を算出することにより、目標吸入空気流量Ｑａｔを高精度に達成することができる。
【００５４】
このように吸入空気流量を制御することにより、運転者要求出力トルクＴＲＱｄや他のコントローラからのトルク要求値を高精度に達成することができる。
【００５５】
次に、図１〜図３とともに、図５の推定トルクの算出処理（トルク値制御）を示すフローチャートを参照しながら、この発明の実施の形態１による推定出力トルクＴＲＱの算出処理について、より具体的に説明する。
【００５６】
まず、エアフローセンサ１２又はインマニ圧センサ１５は、エンジン１に吸入される実吸入空気流量Ｑｒ、又はサージタンク５内のインマニ圧Ｐｂを検出する（ステップＳ２０１）。
【００５７】
続いて、トルク値制御部１１２は、実吸入空気流量演算部１４０において、実（計測）吸入空気流量Ｑｒに基づいて、次式（６）に示すように、実吸入空気流量Ｑａｒを算出し、この実吸入空気流量Ｑａｒに対して１次遅れフィルタ処理を次式（７）に示すように実行するか、又は、実シリンダ内新気量演算部１４１にて、次式（８）及び（９）に示すように、インマニ圧センサ１５からのインマニ圧Ｐｂと、体積効率補正係数Ｋｖとからシリンダ８内の密度を推定し、上記式（４）に示す状態方程式を適用することにより、一行程当たりの実シリンダ内新気量Ｑｃｒ［ｇ］を算出する（ステップＳ２０２）。但し、ｆｉｌｔｅｒ２は、ＫＣＣＡをフィルタ係数とする１次遅れフィルタ処理用の関数である。また、Ｖｃ［Ｌ］は一気筒当たりのシリンダ行程容積を示している。
但し、Ｒ：ガス定数、Ｐ：圧力、ρ：密度、Ｔ：温度、Ｋｖ：堆積効率補正係数、Ｖｃ：１気筒当たりのシリンダ行程容積、ＡＴ：吸気温（吸入空気温）、Ｐｂ：インマニ圧を示す。
【００５８】
Ｑａｒ＝Ｑｒ（エアフローセンサ計測値）・・・式（６）
Ｑｃｒ＝ｆｉｌｔｅｒ２［Ｑａｒ，Ｑｃｒ（ｎ−１），ＫＣＣＡ］・・・式（７）
ρ＝Ｑｃｒ／（Ｋｖ×Ｖｃ）、Ｐ＝ρＲＴ（状態方程式）・・・式（８）
Ｐｂ＝ρ×Ｒ×ＡＴ＝Ｑｃｒ／（Ｋｖ×Ｖｃ）×Ｒ×ＡＴ、
Ｑｃｒ＝Ｐｂ×（Ｋｖ×Ｖｃ）／（Ｒ×ＡＴ）・・・式（９）
【００５９】
次に、空燃比センサ１６は、可燃混合気の空燃比ＡＦを検出する（ステップＳ２０３）。なお、空燃比ＡＦは、空燃比センサ１６によって検出された実際の検出値であってもよいし、インジェクタ１７の駆動時間を算出するために用いられる空燃比ＡＦの目標値から求められてもよい。
続いて、推定トルク演算部１４２は、一行程当たりの実シリンダ内新気量Ｑｃｒと空燃比ＡＦとに基づいて、次式（１０）に示すように、一行程当たりの燃料量Ｑｆ［ｇ］を算出する（ステップＳ２０４）。
【００６０】
Ｑｆ＝Ｑｃｒ／ＡＦ・・・・・式（１０）
【００６１】
さらに、推定トルク演算部１４２は、エンジン１に使用される燃料の発熱量（例えば、ガソリンの場合には、約４４［ＭＪ／ｋｇ］）に基づいて、次式（１１）に示すように、一行程当たりの燃料量Ｑｆから発熱量Ｈｔ［Ｊ］を算出する（ステップＳ２０５）。
【００６２】
Ｈｔ＝Ｑｆ×４４０００・・・・・式（１１）
【００６３】
また、推定トルク演算部１４２は、エンジン１の熱効率η［％］を算出する（ステップＳ２０６）。
続いて、推定トルク演算部１４２は、発熱量Ｈｔと熱効率ηとに基づいて、次式（１２）に示すように、燃焼ガスがシリンダ８内でピストンに対してする仕事である実図示仕事Ｗｉ［Ｊ］を算出する（ステップＳ２０７）。
【００６４】
Ｗｉ＝Ｈｔ×η・・・・・式（１２）
【００６５】
次に、推定トルク演算部１４２は、実図示仕事Ｗｉに基づいて、次式（１３）に示すように、推定図示平均有効圧Ｐｉｒ［ｋＰａ］を算出する（ステップＳ２０８）。なお、Ｖｃ［Ｌ］は一気筒当たりのシリンダ行程容積を示している。
【００６６】
Ｐｉｒ＝Ｗｉ／Ｖｃ・・・・・式（１３）
【００６７】
式（１０）〜式（１３）をまとめると、次式（１４）で表される。
【００６８】
Ｐｉｒ＝Ｗｉ／Ｖｃ
＝Ｈｔ×η／Ｖｃ
＝Ｑｆ×４４０００×η／Ｖｃ
＝Ｑｃｒ／ＡＦ×４４０００×η／Ｖｃ・・・・・式（１４）
【００６９】
ここで、上記式（１４）において、実シリンダ内新気量Ｑｃｒを目標シリンダ内新気量Ｑｃｔに、推定図示平均有効圧Ｐｉｒを目標図示平均有効圧Ｐｉｔに置き換えれば、次式（１５）に示すように表され、この式は目標シリンダ内新気量Ｑｃｔを表す上記の式（２）と同じ意味の式となることが判る。
【００７０】
Ｐｉｔ＝Ｑｃｒ／ＡＦ×４４０００×η／Ｖｃ・・・・・式（１５）
【００７１】
続いて、推定トルク演算部１４２は、推定図示平均有効圧Ｐｉｒに基づいて、次式（１６）に示すように、推定出力トルクＴＲＱ［Ｎｍ］を算出する（ステップＳ２０９）。なお、式（１６）において、ｚは気筒数、ｉは１サイクル当たりの回転速度（例えば、４サイクルエンジンの場合には、ｉ＝２）をそれぞれ示している。
【００７２】
ＴＲＱ＝Ｐｉｒ×Ｖｃ×ｚ／（２π×ｉ）・・・・・式（１６）
【００７３】
このように、実シリンダ内新気量Ｑｃｒを用いることにより、推定出力トルクＴＲＱを高精度に算出することができる。
【００７４】
次に、ウェイストゲートバルブ制御装置１１１に関し、図１〜図３とともに、図６の目標スロットル上流圧力の算出処理を示すフローチャートを参照しながら、この発明の実施の形態１による目標スロットル上流圧力Ｐ２ｔの算出処理について、より具体的に説明する。
【００７５】
まず、クランク角センサ１１は、エンジン１の回転速度Ｎｅを検出し、吸入空気流量制御部１１０の目標シリンダ内新気量演算部１２２は、目標図示平均有効圧Ｐｉｔ、熱効率η、及び空燃比ＡＦに基づいて、次式（１７）に示すように、目標充填効率Ｅｃｔを算出する（ステップＳ３０１）。なお、ρ０［ｇ／Ｌ］は標準状態の空気密度、Ｖｃ［Ｌ］は一気筒当たりのシリンダ行程容積を示している。
【００７６】
Ｅｃｔ＝ＡＦ×Ｐｉｔ×／（η×４４０００×ρ０）・・・・・式（１７）
【００７７】
ウェイストゲートバルブ制御装置１１１において、目標スロットル上流圧力演算部１３１は、回転速度Ｎｅと、目標充填効率Ｅｃｔとに基づいて、予め記憶部に格納されたマップ値から目標スロットル上流圧力ベース補正量を算出する（ステップＳ３０２）。
【００７８】
一方、目標インマニ圧力演算部１３０は、目標充填効率Ｅｃｔと、体積効率補正係数Ｋｖとに基づいて、環境補正として吸気温ＡＴを考慮して、次式（１８）に示すように、目標インマニ圧Ｐｂｔを算出する（ステップＳ３０３）。
【００７９】
Ｐｂｔ＝Ｐ１０｛（Ｅｃｔ／Ｋｖ）×（ＡＴ／Ｔ１０）｝・・・・・式（１８）
【００８０】
但し、添え字の１０は標準状態を示し、Ｐ１０＝１ａｔｍ、Ｔ１０＝２５℃である。
【００８１】
続いて、目標スロットル上流圧力演算部１３１は、ステップＳ３０２で求めた目標スロットル上流圧力ベース補正量と、目標インマニ圧Ｐｂｔとを加算して、環境補正前の目標スロットル上流圧力Ｐ２ｔ＊を算出する（ステップＳ３０４）。
【００８２】
次に、吸気温センサ１３より吸入空気温ＡＴを、水温センサ（図示せず）より水温ＷＴを検出する（ステップＳ３０５）。
続いて、目標スロットル上流圧力演算部１３１は、環境補正演算として、環境補正前の目標スロットル上流圧力Ｐ２ｔ＊と、吸気温ＡＴによるマップ設定（記憶部に格納）された補正値と、水温ＷＴによるマップ設定（記憶部に格納）された補正値とに基づいて、次式（１９）に示すように、目標スロットル上流圧力Ｐ２ｔを算出する（ステップＳ３０６）。なお、ＭＡＰ２とＭＡＰ３は予め記憶部に格納されたマップ値から設定される。
【００８３】
Ｐ２ｔ＝Ｐ２ｔ＊×ＭＡＰ２［ＡＴ］＋ＭＡＰ３［ＷＴ］・・・・式（１９）
【００８４】
このように、目標充填効率Ｅｃｔを用いることにより、目標スロットル上流圧力Ｐ２ｔを高精度に算出することができる。
【００８５】
次に、図１〜図３とともに、図７の目標圧縮機駆動力、実圧縮機駆動力、及び排気ガス流量の算出処理を示すフローチャートを参照しながら、この発明の実施の形態１による目標圧縮機駆動力Ｐｃｔ、実圧縮機駆動力Ｐｃｒ、及び排気ガス流量Ｑｅｘの算出処理について、より具体的に説明する。
【００８６】
まず、圧縮機３１及びタービン３２内の流れを以下に説明する。ここで、空気状態に関する物理法則である、質量保存則や、ポリトロープ変化や、断熱効率を考慮すると、タービンの出力Ｐｔ［Ｗ］、及び圧縮機駆動力Ｐｃ［Ｗ］は次式（２０）により算出される。
【００８７】
但し、Ｃｐ：定圧比熱［ｋＪ／（ｋｇ・Ｋ）］、Ｗｔ：単位流量当たりのタービン出力［Ｊ］、Ｗｃ：圧縮機仕事量［Ｊ］κ：比熱比、Ｑｔ：タービンの質量流量［ｇ／ｓ］、Ｑｃｍｐ：圧縮機の質量流量（圧縮機通過流量）［ｇ／ｓ］、Ｒ：気体定数［ｋＪ／（ｋｇ・Ｋ）］、ηｔ：タービンの断熱効率、ηｃ：圧縮機の断熱効率を示す。また、Ｐ：圧力［ｋＰａ］、Ｔ：絶対温度［Ｋ］、における添え字の１〜４は、１：空気入口（大気）、２：シリンダ入口（吸気）、３：シリンダ出口、４：排気口、を示す。
【００８８】
【数２】
2018178717.tif 000004
【００８９】
さらに、タービン３２と圧縮機３１の特性は、圧力比が増加するに伴い、流量・タービン回転数が増加する傾向にあることから、排気圧Ｐ３は排気ガス流量Ｑｅｘの関数であると言える。
また、排気ガス流量Ｑｅｘとタービン出力Ｐｔは自動車用ターボチャージャの常用域において、ほぼ比例の関係にあると推測されることから、タービン出力Ｐｔは排気ガス流量Ｑｅｘの関数であると言える。
これらから、次式（２１）に示すように、圧縮機駆動力Ｐｃもまた排気ガス流量Ｑｅｘの関数であると言うことができる。
【００９０】
Ｐｃ＝Ｐｔ・ηｍ∝Ｑｅｘ・・・・・式（２１）
【００９１】
ここで、定常状態では、圧縮機通過流量Ｑｃｍｐ＝吸入空気流量Ｑａになるので、圧縮機駆動力Ｐｃは、吸入空気流量Ｑａと、スロットル上流圧力Ｐ２を用いて次式（２２）で求めることができる。
【００９２】
【数３】
2018178717.tif 000005
【００９３】
次に、目標スロットル上流圧力演算部１３１は、回転速度Ｎｅと、体積効率補正係数Ｋｖと、目標充填効率Ｅｃｔとに基づいて、上記のステップＳ３０１〜３０６（式（１７）〜式（１９））のとおりに、目標スロットル上流圧力Ｐ２ｔを算出し、目標吸入空気流量演算部１２３は、目標シリンダ内新気量Ｑｃｔと、回転速度Ｎｅとに基づいて、上記のステップＳ１１１（式（３））のとおりに、エンジン１が吸入すべき目標吸入空気流量Ｑａｔを算出する（ステップＳ４０１）。
【００９４】
続いて、目標圧縮機駆動力演算部１３２は、目標スロットル上流圧力Ｐ２ｔと、目標吸入空気流量Ｑａｔとに基づいて、上記式（２２）の（Ｐ２／Ｐ１）は、目標スロットル上流圧力Ｐ２ｔと大気圧ＡＰの比率である（Ｐ２ｔ／ＡＰ）と考える。なお、大気圧補正ＡＰの変わりにエアクリーナ３の下流圧を検出又は推定して用いてもよい（※１）。その比率を（Ｐ２ｔ／ＡＰ）の関数ｆ１で表すことで、次式（２３）に示すように、目標圧縮機駆動力［環境補正前］Ｐｃｔ＊を算出する（ステップＳ４０２）。なお、ｆ１は予め演算されたマップ値から設定される。
【００９５】
【数４】
2018178717.tif 000006
【００９６】
次に、吸気温センサ１３より吸気温ＡＴを、大気圧センサ９より大気圧ＡＰを検出する（ステップＳ４０３）。
続いて、目標圧縮機駆動力演算部１３２は、環境補正演算として、目標圧縮機駆動力［環境補正前］Ｐｃｔ＊と、吸気温ＡＴによる補正値と、大気圧ＡＰによる補正値とに基づいて、次式（２４）に基づき、目標圧縮機駆動力Ｐｃｔを算出する（ステップＳ４０４）。
【００９７】
Ｐｃｔ＝Ｐｃｔ＊・（Ｐ１０／ＡＰ）・√（Ｔ１０／ＡＴ）・・・・・式（２４）
【００９８】
但し、添え字の１０は標準状態を示し、Ｐ１０＝１ａｔｍ、Ｔ１０＝２５℃である。
【００９９】
さらに、スロットル上流圧力センサ３５によりスロットル上流圧力Ｐ２を検出し、実吸入空気流量演算部１４０は、エアフローセンサ１２からの実計測空気流量Ｑｒ又はインマニ圧センサ１５からのインマニ圧Ｐｂに基づいて、上記のステップＳ２０２（式（６））のとおりに、エンジン１が吸入する実吸入空気流量Ｑａｒを算出する（ステップＳ４０５）。
続いて、実圧縮機駆動力演算部１３４は、スロットル上流圧力Ｐ２と、実吸入空気流量Ｑａｒとに基づいて、ステップＳ４０２と同様に、上記式（２４）の（Ｐ２／Ｐ１）は、スロットル上流圧力Ｐ２と大気圧ＡＰの比率である（Ｐ２／ＡＰ）と考える。大気圧補正ＡＰの変わりにエアクリーナ３の下流圧を検出又は推定して用いてもよい（※１）。その比率を（Ｐ２／ＡＰ）の関数ｆ１で表すことで、次式（２５）に示すように、実圧縮機駆動力［環境補正前］Ｐｃｒ＊を算出する（ステップＳ４０６）。なお、ｆ１は予め演算されたマップ値から設定される。
【０１００】
【数５】
2018178717.tif 000007
【０１０１】
続いて、実圧縮機駆動力演算部１３４は、環境補正演算として、実圧縮機駆動力［環境補正前］Ｐｃｒ＊と、ステップＳ４０３による、吸気温ＡＴによる補正値と、大気圧ＡＰによる補正値とに基づいて、次式（２６）に示すように、実圧縮機駆動力Ｐｃｒを算出する（ステップＳ４０７）。
【０１０２】
Ｐｃｒ＝Ｐｃｒ＊・（Ｐ１０／ＡＰ）・√（Ｔ１０／ＡＴ）・・・・・式（２６）
【０１０３】
但し、添え字の１０は標準状態を示し、Ｐ１０＝１ａｔｍ、Ｔ１０＝２５℃である。
【０１０４】
さらに、空燃比センサ１６は、可燃混合気の空燃比ＡＦを検出し、実シリンダ内新気量演算部１４１は、エアフローセンサ１２からの実計測空気流量Ｑｒ又はインマニ圧センサ１５からのインマニ圧Ｐｂに基づいて、上記のステップＳ２０２（式（６）〜式（９））のとおりに、シリンダ８が吸入する実シリンダ内新気量Ｑｃｒを算出する（ステップＳ４０８）。
続いて、排気ガス流量演算部１３３は、実シリンダ内新気量Ｑｃｒと、空燃比ＡＦとに基づいて、次式（２７）に示すように、排気ガス流量Ｑｅｘを算出する（ステップＳ４０９）。
【０１０５】
Ｑｅｘ＝Ｑｃｒ・｛１＋（１／（ＡＦ））｝・・・・・式（２７）
【０１０６】
次に、図１〜図３とともに、図８のウェイストゲートバルブの制御処理を示すブロック図を参照しながら、この発明の実施の形態１によるウェイストゲートバルブデューティー比ＷＧの算出処理について、より具体的に説明する。
まず、排気ガス流量Ｑｅｘと、圧縮機駆動力Ｐｃの関係特性（図９（Ａ）及び（Ｂ）参照）は多項近似式に表すことができる。この多項近似式は、回転速度Ｎｅや、インマニ圧Ｐｂに影響されず、ウェイストゲートバルブデューティー比のみに依存される関係となっている。そのため、排気ガス流量Ｑｅｘと、目標圧縮機駆動力Ｐｃｔとに基づいて、ウェイストゲートバルブデューティー比ＷＧを算出することができる。
【０１０７】
次に、排気ガス流量演算部１３３は、実シリンダ内新気量Ｑｃｒと、空燃比ＡＦとに基づいて、上記のステップＳ４０９（式（２７））のとおりに、排気ガス流量Ｑｅｘを算出する（ステップＳ５０１）。
続いて、前述の図９（Ａ）及び（Ｂ）に示す特性の多項近似式の関係は、排気ガス流量Ｑｅｘと圧縮機駆動力ベースＰｃｏの特性を、予め記憶部に格納されたマップ値からなる１次関数ｆ２、及び排気ガス流量ＱｅｘとＱｅｘ補正係数Ｋｑｅｘの特性を予め記憶部に格納されたマップ値からなる１次関数ｆ３にて置き換えて設定できる。従って、排気ガス流量Ｑｅｘに基づいて、次式（２８）及び（２９）に示すように、排気ガス流量Ｑｅｘに基づき、圧縮機駆動力ベースＰｃｏ及びＱｅｘ補正係数Ｋｑｅｘをそれぞれ１次関数ｆ２及びｆ３にて算出する（ステップＳ５０２、ステップＳ５０３）。
【０１０８】
Ｐｃｏ＝ｆ２［Ｑｅｘ］・・・・・式（２８）
Ｋｑｅｘ＝ｆ３［Ｑｅｘ］・・・・・式（２９）
【０１０９】
ウェイストゲートバルブ制御装置１１１における大気圧補正係数演算部１４３は、排気ガス流量演算部１３３からの排気ガス流量Ｑｅｘと、標準大気圧Ｐ１０−圧縮機上流圧Ｐａａｃｌ間差圧と、大気圧補正係数Ｋａｐのマップ値から成る１次関数ｆ４を予め記憶部に格納している。そして、次式（３０）に示すように、大気圧補正係数Ｋａｐを算出する（ステップＳ５０１、Ｓ５１１）。
Ｋａｐ＝ｆ４｛［Ｑｅｘ］×（Ｐ１０−Ｐａａｃｌ）｝・・・・・式（３０）
【０１１０】
なお、圧縮機上流圧Ｐａａｃｌは、圧縮機３１の上流圧をセンサ（図示せず）によって検出するか、又は大気圧センサ９によって検出された大気圧ＡＰでもよい。或いは、圧縮機上流圧として公知技術により推定した値を使用してもよい。
また、排気ガス流量Ｑｅｘの代わりに、目標排気ガス流量演算部１４４からの目標排気ガス流量ＱｅｘＴＧＴを用いてもよい（ステップＳ５１２）。このために、信号線が点線で示されている。
【０１１１】
続いて、ウェイストゲートバルブ制御装置１１１における目標圧縮機駆動力演算部１３２は、上述した目標スロットル上流圧力Ｐ２ｔと目標吸入空気流量Ｑａｔとに基づいて、上記のステップＳ４０２〜Ｓ４０４（式（２３）〜式（２４））に示すように、目標圧縮機駆動力Ｐｃｔを算出する（ステップＳ５０４）。
【０１１２】
ウェイストゲートバルブデューティー比演算部１３５は、排気ガス流量Ｑｅｘに基づいてステップＳ５０２で算出された圧縮機駆動力ベースＰｃｏと、式（３０）で求めた大気圧補正係数Ｋａｐに基づいて、次式（３１）に示すように、大気圧補正後圧縮機駆動力ベースＰｃｏ＊を算出する（ステップＳ５１３）。
Ｐｃｏ＊＝Ｋａｐ×Ｐｃｏ・・・・・式（３１）
さらに、ウェイストゲートバルブデューティー比演算部１３５は、式（３１）で求めた大気圧補正後圧縮機駆動力ベースＰｃｏ＊と、排気ガス流量Ｑｅｘに基づいてステップＳ５０３で算出されたＱｅｘ補正係数Ｋｑｅｘと、上述した目標圧縮機駆動力Ｐｃｔとに基づいて、次式（３２）に示すように、ウェイストゲートバルブデューティー比の補正係数Ｋｗｄｔを算出する（ステップＳ５０５）。
【０１１３】
Ｋｗｄｔ＝｛（Ｐｃｔ／Ｐｃｏ＊）−１｝／Ｋｑｅｘ・・・・・式（３２）
【０１１４】
なお、上記のウェイストゲートバルブデューティー比補正係数Ｋｗｄｔの算出は、次式（３３）に示すように、目標圧縮機駆動力Ｐｃｔと大気圧補正係数Ｋａｐとに基づいて大気圧補正後目標圧縮機駆動力Ｐｃｔ＊を算出し、次式（３４）に示すように、この大気圧補正後目標圧縮機駆動力Ｐｃｔ＊と圧縮機駆動力ベースＰｃｏとＱｅｘ補正係数Ｋｑｅｘとから算出してもよい。
【０１１５】
Ｐｃｔ＊＝Ｋａｐ×Ｐｃｔ・・・・・式（３３）
Ｋｗｄｔ＝｛（Ｐｃｔ＊／Ｐｃｏ）−１｝／Ｋｑｅｘ・・・・・式（３４）
【０１１６】
次に、ウェイストゲートバルブデューティー比演算部１３５は、上記のウェイストゲートバルブデューティー比の補正係数Ｋｗｄｔに基づいて、予め記憶部に格納されているマップにおける１次関数ｆ５から、次式（３５）に示すように、ウェイストゲートバルブ基本デューティー比ＷＧｂを算出する（ステップＳ５０６）。
【０１１７】
ＷＧｂ＝ｆ５［Ｋｗｄｔ］・・・・・式（３５）
なお、上記のウェイストゲートバルブ基本デューティー比ＷＧｂは、圧縮機駆動力Ｐｃと排気ガス流量Ｑｅｘの特性に基づいたマップを用いて導出してもよい。
以上をまとめると、ウェイストゲートバルブデューティー比演算部１３５は、目標圧縮機駆動力Ｐｃｔと、排気ガス流量補正係数Ｋｑｅｘ（すなわち排気ガス流量Ｑｅｘ）と、大気圧補正係数Ｋａｐとに基づいて、ウェイストゲートバルブデューティー比補正係数Ｋｗｄｔ（すなわちウェイストゲートバルブデューティー比ＷＧ）を算出することができることを示している。
【０１１８】
次に、実圧縮機駆動力演算部１３４は、スロットル上流圧力Ｐ２と、実吸入空気流量Ｑａｒとに基づいて、上記のステップＳ４０６〜Ｓ４０７（式（２５）〜式（２６））のとおり、実圧縮機駆動力Ｐｃｒを算出する（ステップＳ５０７）。
【０１１９】
続いて、ウェイストゲートバルブデューティー比演算部１３５は、目標圧縮機駆動力Ｐｃｔと実圧縮機駆動力Ｐｃｒとの差分（ステップＳ５１４）に対し大気圧補正係数Ｋａｐで補正を行う。その補正結果を用いてＰＩＤ制御であるフィードバック制御を行い、ウェイストゲートバルブデューティー比ＷＧのフィードバック補正量ＦＢ（Ｐ）、ＦＢ（Ｉ）、及びＦＢ（Ｄ）を算出する（ステップＳ５０８）。このように、大気圧補正係数Ｋａｐを考慮することで、環境圧が変化しても、目標圧縮機駆動力Ｐｃｔに対し高精度なフィードバックが可能となる。
【０１２０】
さらに、ウェイストゲートバルブデューティー比演算部１３５は、上記のフィードバック制御で用いた、大気圧補正係数Ｋａｐで補正をした実圧縮機駆動力Ｐｃｒ−目標圧縮機駆動力Ｐｃｔ間の差分（ステップＳ５１４）に対応する、ウェイストゲートバルブデューティー比の定量的なずれ量を学習量として算出して、ウェイストゲートバルブデューティー比ＷＧに対して学習補正を実施する。
例えば、大気圧補正係数Ｋａｐを考慮して算出されたウェイストゲートバルブデューティー比ＷＧのフィードバック補正量ＦＢ（Ｉ）の値が或る閾値を超えた量を、ターボチャージャの個体差、経年変化などによるばらつき要素に対する影響を無くすためのウェイストゲートバルブデューティー比ＷＧの学習量として算出する（ステップＳ５０９）。
【０１２１】
次に、ウェイストゲートバルブデューティー比演算部１３５は、ウェイストゲートバルブ基本デューティー比ＷＧｂと、ウェイストゲートバルブデューティー比ＷＧのフィードバック補正量ＦＢ（Ｐ）、ＦＢ（Ｉ）、及びＦＢ（Ｄ）、並びにウェイストゲートバルブデューティー比ＷＧの学習値とに基づいて、次式（３６）に示すように、ウェイストゲートバルブデューティー比ＷＧを算出する（ステップＳ５１０）。
【０１２２】
ＷＧ＝ＷＧｂ＋（ＦＢ（Ｐ）＋ＦＢ（Ｉ）＋ＦＢ（Ｄ））＋学習値・・・式（３６）
【０１２３】
このように、前述の多項近似式の関係を、排気ガス流量Ｑｅｘに基づいた２つの対応関数（マップ値）にて置き換えることと、目標圧縮機駆動力Ｐｃｔとに基づいて、ウェイストゲートバルブデューティー比ＷＧを高精度に制御することができる。
【０１２４】
すなわち、ウェイストゲートバルブ制御装置１１１は、実圧縮機駆動力Ｐｃｒが目標圧縮機駆動力Ｐｃｔと一致するように制御され、圧力式のウェイストゲートの場合は、ウェイストゲートバルブデューティー比をダイアフラムに掛かる圧力を制御するためのウェイストゲートバルブのデューティー比として、ウェイストゲートバルブ３４を駆動する。
【０１２５】
以上で示したように、ウェイストゲートバルブデューティー比演算部１３５は、排気ガス流量Ｑｅｘと、目標圧縮機駆動力Ｐｃｔと、大気圧補正後圧縮機駆動力ベースＰｃｏ＊とに基づいて、ウェイストゲートバルブデューティー比ＷＧを高精度に算出している。
排気ガス流量Ｑｅｘの補正係数Ｋｑｅｘと、目標圧縮機駆動力Ｐｃｔと、大気圧補正後圧縮機駆動力ベースＰｃｏ＊は、ウェイストゲートバルブデューティー比演算部１３５において、それぞれ、ステップＳ５０３と、ステップＳ５０４と、ステップＳ５１３とで算出される。さらに、吸入空気流量制御部１１０により吸入空気量を高精度に制御できることから、本実施の形態は実現可能である。
【０１２６】
この発明の実施の形態に係る内燃機関の制御装置によれば、吸入空気流量制御部１１０は、目標トルク演算部１２１が算出した目標図示平均有効圧Ｐｉｔ（又は目標出力トルクＴＲＱｔ）に基づいて目標吸入空気流量Ｑａｔを算出し、この目標吸入空気流量Ｑａｔを達成するようにスロットル開度ＴＨの目標値を算出して、スロットル開度制御部１２４を介してスロットル開度ＴＨを制御する。そのため、運転者要求出力トルクＴＲＱｄや他のコントローラからのトルク要求値を高精度に達成することができる。
【０１２７】
また、推定トルク演算部１４２は、空燃比ＡＦと、インマニ圧Ｐｂ又は実吸入空気流量Ｑａｒと、熱効率ηとに基づいて、エンジン１の推定出力トルクＴＲＱ又は推定図示平均有効圧Ｐｉｒを算出する。
そのため、制御マップ容量を抑えつつ、エンジン１の推定出力トルクＴＲＱを高精度に算出することができる。
【０１２８】
また、ウェイストゲートバルブ制御装置１１１は、目標充填効率Ｅｃｔと、目標インマニ圧力演算部１３０が算出した目標インマニ圧Ｐｂｔとに基づいて目標スロットル上流圧力Ｐ２ｔを算出する。さらに、目標圧縮機駆動力演算部１３２と、実圧縮機駆動力演算部１３４と、排気ガス流量演算部１３３とにより、環境補正を考慮した、目標圧縮機駆動力Ｐｃｔと、実圧縮機駆動力Ｐｃｒと、排気ガス流量Ｑｅｘとを算出する。そしてウェイストゲートバルブデューティー比演算部１３５にて、実圧縮機駆動力Ｐｃｒと、排気ガス流量Ｑｅｘと、目標圧縮機駆動力Ｐｃｔと、大気圧補正後圧縮機駆動力ベースＰｃｏ＊とに基づいて、ウェイストゲートバルブ制御量であるウェイストゲートバルブデューティー比ＷＧを算出する。そして、実圧縮機駆動力Ｐｃｒが目標圧縮機駆動力Ｐｃｔと一致するように、ウェイストゲートバルブデューティー比ＷＧを用いて、ウェイストゲートバルブ３４を駆動する。
【０１２９】
すなわち、吸入空気流量を制御することで、ウェイストゲートバルブ制御量であるウェイストゲートバルブデューティー比ＷＧを介して、過給機（ターボチャージャ）の過給圧を高精度に制御することができる。
【０１３０】
なお、空燃比ＡＦや各制御目標値（例えば、吸気や排気ＶＶＴ開度、ＥＧＲ率、点火時期、等）については、エンジン１の回転速度Ｎｅ又は充填効率Ｅｃ等の運転状態に対応した最適値が予め制御マップとして記憶部に格納されており、目標吸入空気流量Ｑａｔが達成された時点で最適な制御値が算出され、その制御値を目標値として、インジェクタ１７及び点火コイル１９を制御することにより、それぞれ最適値に制御される。
【符号の説明】
【０１３１】
１  エンジン、２  吸気管、３  エアクリーナ、４  スロットルバルブ、５  サージタンク、７  排気管、８  シリンダ、９  大気圧センサ、１１  クランク角センサ、１２  エアフローセンサ、１３  吸気温センサ、１４  スロットルポジションセンサ、１５  インマニ圧センサ、１６  空燃比センサ、１７  インジェクタ、１８  点火プラグ、１９  点火コイル、２０  吸気バルブ、２１  排気バルブ、２２  排気ガス浄化触媒、３０  インタークーラ、３１  圧縮機、３２  タービン、３３  エアバイパスバルブ、３４  ウェイストゲートバルブ、３５  スロットル上流圧力センサ、１１０  吸入空気流量制御部、１１１  ウェイストゲートバルブ制御装置、１１２  トルク値制御部、１２０  要求トルク演算部、１２１  目標トルク演算部、１２２  目標シリンダ内新気量演算部、１２３  目標吸入空気流量演算部、１２４  スロットル開度制御部、１３０  目標インマニ圧力演算部、１３１  目標スロットル上流圧力演算部、１３２  目標圧縮機駆動力演算部、１３３  排気ガス流量演算部、１３４  実圧縮機駆動力演算部、１３５  ウェイストゲートバルブデューティー比演算部、１４０  実吸入空気流量演算部、１４１  実シリンダ内新気量演算部、１４２  推定トルク演算部、１４３  大気圧補正係数演算部、１４４  目標排気ガス流量演算部。
【図１】
2018178717.tif 000008
【図２】
2018178717.tif 000009
【図３】
2018178717.tif 000010
【図４】
2018178717.tif 000011
【図５】
2018178717.tif 000012
【図６】
2018178717.tif 000013
【図７】
2018178717.tif 000014
【図８】
2018178717.tif 000015
【図９】
2018178717.tif 000016